(57)【要約】【課題】給電ケーブルの配置スペースの省スペース化を図るとともにＬＥＤ基板の表面側における低背化を図り、ＬＥＤ基板に対して容易に接続可能で、更に、コンパクトな構造でＬＥＤ基板に対する強固な接続を確保する。【解決手段】ＬＥＤ基板１０１に対して取り付けられるハウジング１１と、ハウジング１１に保持されるとともに給電ケーブル３が接続されるコンタクト１２とが設けられる。ハウジング１１は、ＬＥＤ基板１０１の一部をその表裏面側から厚み方向に挟み込むようにしてＬＥＤ基板１０１に対して嵌合する嵌合部１７を有する。コンタクト１２は、給電ケーブル３の端部の導体又は給電ケーブル側コンタクト１５に対して電気的に接続される。また、コンタクト１２の基板側接点部２４は、ＬＥＤ基板１０１に嵌合部１７が嵌合した状態で、ＬＥＤ基板１０１の導電部１０１ａに押し付けられて電気的に接続される。【選択図】        図１７
2012230771.tif 000002
【特許請求の範囲】
【請求項１】
ＬＥＤチップが実装された基板としてのＬＥＤ基板を有する照明装置であるＬＥＤ照明に用いられ、前記ＬＥＤ基板に取り付けられることで前記ＬＥＤチップに対して電気的に接続されるＬＥＤ照明用コネクタであって、
前記ＬＥＤ基板に対して取り付けられるハウジングと、前記ハウジングに保持されるとともに給電ケーブルが接続されるコンタクトと、を備え、
前記ハウジングは、前記ＬＥＤ基板の一部をその表裏面側から厚み方向に挟み込むようにして当該ＬＥＤ基板に対して嵌合する嵌合部を有し、
前記コンタクトは、
前記給電ケーブルの端部の導体に対して又は当該導体に接続された給電ケーブル側コンタクトに対して電気的に接続され、
前記ハウジングが前記ＬＥＤ基板に対して前記嵌合部で嵌合して取り付けられた状態で、前記ＬＥＤ基板の導電部に対して押し付けられて電気的に接続される基板側接点部を有していることを特徴とする、ＬＥＤ照明用コネクタ。
【請求項２】
請求項１に記載のＬＥＤ照明用コネクタであって、
前記ハウジングは、前記ＬＥＤ基板に対してその縁部分側において取り付けられ、
前記嵌合部は、前記ＬＥＤ基板の縁部分を挟み込むようにして当該縁部分に対して嵌合することを特徴とする、ＬＥＤ照明用コネクタ。
【請求項３】
請求項１又は請求項２に記載のＬＥＤ照明用コネクタであって、
前記基板側接点部は、前記導電部に対して押し付けられた際に弾性変形するバネ接点部として設けられていることを特徴とする、ＬＥＤ照明用コネクタ。
【請求項４】
請求項１乃至請求項３のいずれか１項に記載のＬＥＤ照明用コネクタであって、
前記嵌合部には、突起状に形成されて前記ＬＥＤ基板に対して係止することで前記ハウジングを当該ＬＥＤ基板に対して係止するロック部分が設けられていることを特徴とする、ＬＥＤ照明用コネクタ。
【請求項５】
請求項１乃至請求項４のいずれか１項に記載のＬＥＤ照明用コネクタであって、
前記コンタクトに対して電気的に接続された前記給電ケーブルが前記ハウジングから引き出されるように延びる方向が、前記ハウジングが取り付けられた前記ＬＥＤ基板に対して垂直な方向に沿って延びる方向として設定されていることを特徴とする、ＬＥＤ照明用コネクタ。
【請求項６】
請求項１乃至請求項５のいずれか１項に記載のＬＥＤ照明用コネクタであって、
前記ハウジングは、前記嵌合部が設けられるとともに前記コンタクトを保持する本体ハウジングと、前記本体ハウジングに保持された前記コンタクトを覆うように当該本体ハウジングに対して係合して取り付けられるカバーハウジングと、を有していることを特徴とする、ＬＥＤ照明用コネクタ。
【請求項７】
請求項１乃至請求項６のいずれか１項に記載のＬＥＤ照明用コネクタであって、
前記ハウジングには、前記ＬＥＤ照明に設けられて前記ＬＥＤ基板が設置される放熱構造体としてのヒートシンクに対して当該ＬＥＤ基板を固定するための固定部材が貫通する貫通孔が設けられていることを特徴とする、ＬＥＤ照明用コネクタ。
【請求項８】
請求項１乃至請求項７のいずれか１項に記載のＬＥＤ照明用コネクタと、
前記コンタクトに対して電気的に接続された前記給電ケーブルと、
を備えていることを特徴とする、ハーネス。
【発明の詳細な説明】
【技術分野】
【０００１】
本発明は、ＬＥＤ照明に用いられ、ＬＥＤ照明におけるＬＥＤ基板と給電ケーブルとを接続する、ＬＥＤ照明用コネクタ、及びＬＥＤ照明用コネクタを備えるハーネスに関する。
【背景技術】
【０００２】
従来より、ＬＥＤ照明においては、ＬＥＤ照明におけるＬＥＤ基板と給電ケーブルとを接続するＬＥＤ照明用コネクタが用いられている。このようなＬＥＤ照明用コネクタとして、特許文献１又は特許文献２に開示されたコネクタが知られている。尚、ＬＥＤ照明は、ＬＥＤチップが実装された基板であるＬＥＤ基板を有する照明装置として構成される。また、ＬＥＤ照明用コネクタは、給電ケーブルに接続されるとともに、ＬＥＤ基板に取り付けられることでＬＥＤチップに対して電気的に接続される。
【０００３】
特許文献１においては、ＬＥＤ照明のＬＥＤ基板の表面に実装されたＬＥＤチップに対して電気的に接続されるコネクタである電気接続部（１３）として設けられたＬＥＤ照明用コネクタが開示されている。このＬＥＤ照明用コネクタは、ＬＥＤ基板の中央部分にて貫通形成された貫通孔（１４）に挿通される給電ケーブル（電線ｗ）が接続されるように構成されている。尚、給電ケーブルは、ＬＥＤ基板の裏面側から表面側に向かって上記の貫通孔を挿通するように配置される。そして、ＬＥＤ照明用コネクタは、ＬＥＤ基板に対して、ＬＥＤチップが配置される表面側において接続される。また、ＬＥＤ基板の貫通孔に挿通されるとともにＬＥＤ照明用コネクタに接続される給電ケーブルは、ＬＥＤ基板の表面側で一旦突出した後に屈曲して延びてＬＥＤ照明用コネクタに向かって引き回されるように配置されている。
【０００４】
特許文献２においては、ＬＥＤチップが配置されるＬＥＤ基板の表面に対して接続されるコネクタである接続部（４）として設けられたＬＥＤ照明用コネクタが開示されている。このＬＥＤ照明用コネクタは、器具本体（５）に基端が取り付けられた板バネとしての弾性片（７）の先端部に設けられている。そして、ＬＥＤ基板の表面に対してその中央部分で接続されたＬＥＤ照明用コネクタに接続された給電ケーブル（リード線１０）は、ＬＥＤ基板の表面を縁部分まで延びて迂回した後、ＬＥＤ基板の裏面側に引き回されるように配置されている。
【先行技術文献】
【特許文献】
【０００５】
【特許文献１】特開２０１０−９７８９０号公報
【特許文献２】特開２００３−６８１３０号公報
【発明の概要】
【発明が解決しようとする課題】
【０００６】
特許文献１に開示された構成では、ＬＥＤ照明用コネクタに接続される給電ケーブルが、ＬＥＤ基板の表面側で一旦突出した後に屈曲して延びてＬＥＤ照明用コネクタに向かって引き回されるように配置される。このため、給電ケーブルの配置スペースが増大してしまうことになり、発光するＬＥＤチップからの光の一部を遮ってしまい易いことになる。よって、給電ケーブルの配置スペースの省スペース化が図られる構造のＬＥＤ照明用コネクタの実現が望まれる。
【０００７】
そして、特許文献１のＬＥＤ照明用コネクタは、ＬＥＤチップが配置される表面側でＬＥＤ基板に対して接続される。このため、ＬＥＤ基板の表面側において突出する高さが高くなってしまい、発光するＬＥＤチップからの光の一部をコネクタによっても遮ってしまい易いという問題がある。よって、ＬＥＤチップからの光の一部を遮ってしまうことを抑制できるようにＬＥＤ基板の表面側における低背化が図られる構造のＬＥＤ照明用コネクタの実現が望まれる。
【０００８】
更に、特許文献１のＬＥＤ照明用コネクタがＬＥＤ基板に接続される際には、給電ケーブルがＬＥＤ基板の裏面側から表面側に向かって上記の孔を挿通するように配置される。そして、ＬＥＤ基板の表面側において、ＬＥＤ照明用コネクタが、給電ケーブルに接続され、更に、ＬＥＤ基板に対しても接続される。このため、ＬＥＤ照明用コネクタのＬＥＤ基板への接続作業が煩雑となり、この接続作業に多くの手間を要してしまうことになる。よって、ＬＥＤ基板に対して容易に接続可能な構造のＬＥＤ照明用コネクタの実現が望まれる。
【０００９】
特許文献２に開示されたＬＥＤ照明用コネクタは、ＬＥＤ基板の表面側に接続され、更に給電ケーブルがＬＥＤ基板の表面を縁部分まで延びることになる。このため、このＬＥＤ照明用コネクタは、特許文献１に開示されたＬＥＤ照明用コネクタと同様に、給電ケーブルの配置スペースが増大してしまうことになり、発光するＬＥＤチップからの光の一部を遮ってしまい易いという問題がある。
【００１０】
そして、特許文献２のＬＥＤ照明用コネクタがＬＥＤ基板に接続される際には、ＬＥＤ照明用コネクタは、給電ケーブルに接続され、その後、器具本体に基端が取り付けられた板バネとしての弾性片の先端部に対して取り付けられ、更に、ＬＥＤ基板に対しても接続される。このため、ＬＥＤ照明用コネクタのＬＥＤ基板への接続作業が煩雑となり、この接続作業に多くの手間を要してしまうことになる。よって、ＬＥＤ基板に対して容易に接続可能な構造のＬＥＤ照明用コネクタの実現が望まれる。
【００１１】
また、特許文献２のＬＥＤ照明用コネクタは、弾性片の先端部に取付けられた状態でＬＥＤ基板に接続されるため、弾性片の付勢力によって、ＬＥＤ基板の導電部に対して強固に接続されることになる。しかしながら、特許文献２に開示された構成では、器具本体に基端が取り付けられた板バネとしての弾性片の先端部にＬＥＤ照明用コネクタが取り付けられる構造のため、構造の大型化を招いてしまうことになる。よって、コンパクトな構造で強固な電気的接続を確保することができるＬＥＤ照明用コネクタの実現が望まれる。
【００１２】
本発明は、上記実情に鑑みることにより、給電ケーブルの配置スペースの省スペース化を図れるとともに、ＬＥＤ基板の表面側における低背化を図ることができ、ＬＥＤ基板に対して容易に接続可能で、更に、コンパクトな構造でＬＥＤ基板に対する強固な接続を確保することができる、ＬＥＤ照明用コネクを提供することを目的とする。また、そのＬＥＤ照明用コネクタを備えるハーネス（ケーブルハーネス）を提供することを目的とする。
【課題を解決するための手段】
【００１３】
上記目的を達成するための第１発明に係るＬＥＤ照明用コネクタは、ＬＥＤチップが実装された基板としてのＬＥＤ基板を有する照明装置であるＬＥＤ照明に用いられ、前記ＬＥＤ基板に取り付けられることで前記ＬＥＤチップに対して電気的に接続されるＬＥＤ照明用コネクタに関する。そして、第１発明に係るＬＥＤ照明用コネクタは、前記ＬＥＤ基板に対して取り付けられるハウジングと、前記ハウジングに保持されるとともに給電ケーブルが接続されるコンタクトと、を備え、前記ハウジングは、前記ＬＥＤ基板の一部をその表裏面側から厚み方向に挟み込むようにして当該ＬＥＤ基板に対して嵌合する嵌合部を有し、前記コンタクトは、前記給電ケーブルの端部の導体に対して又は当該導体に接続された給電ケーブル側コンタクトに対して電気的に接続され、前記ハウジングが前記ＬＥＤ基板に対して前記嵌合部で嵌合して取り付けられた状態で、前記ＬＥＤ基板の導電部に対して押し付けられて電気的に接続される基板側接点部を有していることを特徴とする。
【００１４】
この発明によると、給電ケーブルに接続されるコンタクトを保持するハウジングが、ＬＥＤ基板の一部をその表裏面側から厚み方向に挟むようにしてＬＥＤ基板に対して嵌合して取り付けられる。このため、ＬＥＤ基板に対して厚み方向に挟むように嵌合したハウジングから給電ケーブルが引き出されて延びることになるため、ＬＥＤ基板の表面側に給電ケーブルが配置されてしまうことが防止されることになる。よって、特許文献１及び特許文献２に開示された構成のように給電ケーブルの配置スペースが増大してＬＥＤチップからの光の一部を遮ってしまうことが、抑制されることになる。即ち、本発明のＬＥＤ照明用コネクタによると、給電ケーブルの配置スペースの省スペース化を図ることができる。
【００１５】
また、本発明のＬＥＤ照明用コネクタでは、上記のように、給電ケーブルに接続されるコンタクトを保持するハウジングが、ＬＥＤ基板の一部をその表裏面側から厚み方向に挟むようにしてＬＥＤ基板に対して嵌合して取り付けられる。このため、ハウジングがＬＥＤ基板の表面側において突出する高さが高くなってしてしまうことが防止される。よって、本発明のＬＥＤ照明用コネクタによると、ＬＥＤチップからの光の一部を遮ってしまうことを抑制できるようにＬＥＤ基板の表面側における低背化を図ることができる。
【００１６】
また、本発明のＬＥＤ照明用コネクタでは、給電ケーブルに接続されたコンタクトを保持するハウジングがＬＥＤ基板に対して嵌合して取り付けられることで、コネクタ接続作業が完了することになる。よって、特許文献１又は特許文献２に開示された従来技術とは異なり、煩雑で手間を要する接続作業が不要となり、ＬＥＤ基板に対して容易にＬＥＤ照明用コネクタを接続することができる。
【００１７】
また、本発明のＬＥＤ照明用コネクタでは、コンタクトの基板側接点部は、ハウジングがＬＥＤ基板に対して嵌合部で嵌合して取り付けられた状態で、ＬＥＤ基板の導電部に対して押し付けられて電気的に接続される。このため、基板側接点部は、嵌合部がＬＥＤ基板に対して表裏面側から厚み方向に挟み込むように嵌合してコンパクトに接続された領域において、ＬＥＤ基板の導電部に対して、嵌合部によって挟み込まれるようにして強固に押し付けられた状態に維持されることになる。よって、本発明のＬＥＤ照明用コネクタによると、コンパクトな構造でＬＥＤ基板に対する強固な接続を確保することができる。
【００１８】
従って、本発明によると、給電ケーブルの配置スペースの省スペース化を図れるとともに、ＬＥＤ基板の表面側における低背化を図ることができ、ＬＥＤ基板に対して容易に接続可能で、更に、コンパクトな構造でＬＥＤ基板に対する強固な接続を確保することができる、ＬＥＤ照明用コネクタを提供することができる。
【００１９】
第２発明に係るＬＥＤ照明用コネクタは、第１発明のＬＥＤ照明用コネクタにおいて、前記ハウジングは、前記ＬＥＤ基板に対してその縁部分側において取り付けられ、前記嵌合部は、前記ＬＥＤ基板の縁部分を挟み込むようにして当該縁部分に対して嵌合することを特徴とする。
【００２０】
特許文献１に開示されたＬＥＤ照明用コネクタは、ＬＥＤ基板に貫通形成された孔に挿通される給電ケーブルに対して接続される。これにより、ＬＥＤ基板は、孔が設けられる領域が、絶縁性材料が配置されない空間領域となる。一方、ＬＥＤ基板は、金属製の放熱用構造体としてのヒートシンクに設置される。このため、ＬＥＤ基板におけるヒートシンクに対する絶縁性が確保されるためには、上記の孔とヒートシンクとの間において十分な空間距離が設定される必要があり、ＬＥＤ基板の大型化を招いてしまうことになる。よって、ヒートシンクに対する絶縁性を容易に確保可能でＬＥＤ基板を小型化できる構造のＬＥＤ照明用コネクタの実現が望まれる。
【００２１】
上記に対し、本発明によると、ハウジングは、嵌合部がＬＥＤ基板の縁部分に対して挟み込むようにして嵌合し、ＬＥＤ基板の縁部分側に取付けられる。このため、特許文献１に開示されたＬＥＤ照明用コネクタが用いられる場合とは異なり、ＬＥＤ基板において、給電ケーブルが挿通される孔が貫通形成されることがない。よって、ＬＥＤ基板において、絶縁性材料が配置されない空間領域としての孔が不要となるため、ヒートシンクに対する絶縁性を容易に確保可能でＬＥＤ基板の小型化を図ることができる。
【００２２】
第３発明に係るＬＥＤ照明用コネクタは、第１発明又は第２発明のＬＥＤ照明用コネクタにおいて、前記基板側接点部は、前記導電部に対して押し付けられた際に弾性変形するバネ接点部として設けられていることを特徴とする。
【００２３】
この発明によると、コンタクトの基板側接点部が、ＬＥＤ基板の導電部に押し付けられた際に弾性変形するバネ接点部として設けられるため、基板側接点部自身のバネ力によっても強固に導電部に押し付けられることになる。よって、構造の大型化を招くことなく、ＬＥＤ基板に対するより強固な接続を確保することができる。
【００２４】
第４発明に係るＬＥＤ照明用コネクタは、第１発明乃至第３発明のいずれかのＬＥＤ照明用コネクタにおいて、前記嵌合部には、突起状に形成されて前記ＬＥＤ基板に対して係止することで前記ハウジングを当該ＬＥＤ基板に対して係止するロック部分が設けられていることを特徴とする。
【００２５】
この発明によると、ＬＥＤ基板に嵌合する嵌合部において、ＬＥＤ基板に対してハウジングを係止させる突起状のロック部分が設けられるため、ＬＥＤ基板に嵌合して取り付けられたハウジングの更に強固な抜け止めを図ることができる。
【００２６】
第５発明に係るＬＥＤ照明用コネクタは、第１発明乃至第４発明のいずれかのＬＥＤ照明用コネクタにおいて、前記コンタクトに対して電気的に接続された前記給電ケーブルが前記ハウジングから引き出されるように延びる方向が、前記ハウジングが取り付けられた前記ＬＥＤ基板に対して垂直な方向に沿って延びる方向として設定されていることを特徴とする。
【００２７】
この発明によると、給電ケーブルが、ＬＥＤ基板に取り付けられたハウジングからＬＥＤ基板に対して垂直な方向に沿って引き出される。このため、給電ケーブルが、ＬＥＤ基板の側方に延びてしまうことが防止されることになる。よって、給電ケーブルの配置スペースの更なる省スペース化が図られ、ＬＥＤ照明の小型化を図ることができる。
【００２８】
第６発明に係るＬＥＤ照明用コネクタは、第１発明乃至第５発明のいずれかのＬＥＤ照明用コネクタにおいて、前記ハウジングは、前記嵌合部が設けられるとともに前記コンタクトを保持する本体ハウジングと、前記本体ハウジングに保持された前記コンタクトを覆うように当該本体ハウジングに対して係合して取り付けられるカバーハウジングと、を有していることを特徴とする。
【００２９】
この発明によると、本体ハウジングに係合して取り付けられることで本体ハウジングに保持されたコンタクトを覆うカバーハウジングが設けられるため、コンタクトの露出が効率よく確実に防止されることになる。そして、コンタクトの露出を防ぐ構造が、本体ハウジングに係合して取り付けられるカバーハウジングによって容易に構築されることになる。
【００３０】
第７発明に係るＬＥＤ照明用コネクタは、第１発明乃至第６発明のいずれかのＬＥＤ照明用コネクタにおいて、前記ハウジングには、前記ＬＥＤ照明に設けられて前記ＬＥＤ基板が設置される放熱構造体としてのヒートシンクに対して当該ＬＥＤ基板を固定するための固定部材が貫通する貫通孔が設けられていることを特徴とする。
【００３１】
この構成によると、固定部材が貫通孔を貫通し、嵌合部でＬＥＤ基板に嵌合して取り付けられたハウジングがヒートシンクに対して固定されることになる。よって、ＬＥＤ基板に固定されたハウジングが固定部材によってヒートシンクにも強固に固定されるとともに、ＬＥＤ基板がハウジング及び固定部材を介してヒートシンクに固定されることになる。従って、ＬＥＤ基板をヒートシンクに固定するための固定部材を、ハウジングをヒートシンクに強固に固定する部材として効率よく兼用することができる。
【００３２】
また、他の観点に係る発明として、ハーネスの発明を構成することもできる。第８発明に係るハーネスは、第１発明乃至第７発明のいずれかのＬＥＤ照明用コネクタと、前記コンタクトに対して電気的に接続された前記給電ケーブルと、を備えていることを特徴とする。
【００３３】
この発明によると、第１発明乃至第７発明のいずれかのＬＥＤ照明用コネクタと同様の効果を奏することができる。
【発明の効果】
【００３４】
本発明によると、給電ケーブルの配置スペースの省スペース化を図れるとともに、ＬＥＤ基板の表面側における低背化を図ることができ、ＬＥＤ基板に対して容易に接続可能で、更に、コンパクトな構造でＬＥＤ基板に対する強固な接続を確保することができる、ＬＥＤ照明用コネクを提供することができる。また、そのＬＥＤ照明用コネクタを備えるハーネスを提供することができる。
【図面の簡単な説明】
【００３５】
【図１】本発明の一実施の形態に係るＬＥＤ照明用コネクタが取り付けられたＬＥＤ照明を示す斜視図である。
【図２】図１に示すＬＥＤ照明におけるヒートシンク及びＬＥＤ照明用コネクタの斜視図である。
【図３】図１に示すＬＥＤ照明におけるＬＥＤ基板及びＬＥＤ照明用コネクタの斜視図である。
【図４】図３に示すＬＥＤ照明用コネクタの斜視図である。
【図５】図４に示すＬＥＤ照明用コネクタの斜視図である。
【図６】図４に示すＬＥＤ照明用コネクタの斜視図である。
【図７】図４に示すＬＥＤ照明用コネクタの断面図である。
【図８】図４に示すＬＥＤ照明用コネクタにおける本体ハウジングを示す斜視図である。
【図９】図８に示す本体ハウジングの斜視図である。
【図１０】図４に示すＬＥＤ照明用コネクタにおけるカバーハウジングを示す斜視図である。
【図１１】図１０に示すカバーハウジングを示す斜視図である。
【図１２】図７に示すＬＥＤ照明用コネクタにおけるコンタクトを示す斜視図である。
【図１３】図８に示す本体ハウジング及び図１０に示すコンタクトについての切り欠き断面を含む斜視図である。
【図１４】図１３に示す本体ハウジング及びコンタクトについての切り欠き断面を含む斜視図であって、本体ハウジングにコンタクトが保持された状態を示す図である。
【図１５】給電ケーブルの一部を示す斜視図である。
【図１６】図３に示すＬＥＤ基板及びＬＥＤ照明用コネクタについての切り欠き断面を含む斜視図である。
【図１７】図１６の一部を拡大して示す図である。
【図１８】変形例に係るＬＥＤ照明用コネクタの斜視図である。
【図１９】図１８に示すＬＥＤ照明用コネクタがＬＥＤ基板に取り付けられた状態についての切り欠き断面を含む斜視図である。
【図２０】図１９の一部を拡大して示す図である。
【発明を実施するための形態】
【００３６】
以下、本発明を実施するための形態について図面を参照しつつ説明する。尚、本発明は、ＬＥＤチップが実装された基板としてのＬＥＤ基板を有する照明装置であるＬＥＤ照明に用いられ、ＬＥＤ基板に取り付けられることでＬＥＤチップに対して電気的に接続されるＬＥＤ照明用コネクタとして、種々の用途に広く適用することができるものである。
【００３７】
図１は、本発明の一実施の形態に係るＬＥＤ照明用コネクタ１（以下、単に「コネクタ１」ともいう）及びそのコネクタ１を含む本発明の一実施の形態に係るハーネス（ケーブルハーネス）２が取り付けられたＬＥＤ電球１００を示す斜視図である。また、図２は、ＬＥＤ電球１００におけるヒートシンク１０２とコネクタ１及びハーネス２とを示す斜視図である。また、図３は、ＬＥＤ電球１００におけるＬＥＤ基板１０１とコネクタ１及びハーネス２とを示す斜視図である。
【００３８】
図１乃至図３に例示するＬＥＤ電球１００は、ＬＥＤ基板１０１とヒートシンク１０２とカバー体（図示を省略）とを有する照明装置であるＬＥＤ照明であって、電球型のＬＥＤ照明として構成されている。尚、図１乃至図３においては、ＬＥＤ電球１００における発光側に配置されるカバー体が取り付けられていない状態のＬＥＤ電球１００が図示されている。
【００３９】
図１乃至図３にて図示が省略されたカバー体は、ヒートシンク１０２に取付けられてＬＥＤ基板１０１を覆うとともに、ＬＥＤ基板１０１に実装されるＬＥＤチップ１０３からの光が通過するカバー要素として設けられる。このカバー体は、例えば、球面状の表面部分を有するカバー要素として、又は、扁平な湾曲面としての表面部分を有するカバー要素として、或いは、平坦な表面部分を有するカバー要素として設けられる。
【００４０】
ＬＥＤ基板１０１は、平板状のリジッド基板として設けられ、ＬＥＤ（Light Emitting Diode、発光ダイオード）を含むＬＥＤチップ１０３が表面実装された基板として構成されている。このＬＥＤ基板１０１には、ＬＥＤチップ１０３が表面実装される表面側において、ＬＥＤチップ１０３に対する給電用の回路パターンが設けられている。そして、この回路パターンには、コネクタ１に対して電気的に接続される複数の導電部１０１ａが含まれている（図３を参照）。
【００４１】
尚、図１では、ＬＥＤ基板１０１に対して複数（本実施形態では、２つ）のコネクタ１が取り付けられた状態が図示されている。このため、図１のＬＥＤ基板１０１については、各導電部１０１ａに各コネクタ１が接続されているため、導電部１０１ａが表れていない状態が図示されている。一方、図３では、ＬＥＤ基板１０１に対して１つのコネクタ１が取り付けられた状態が図示されている。このため、図３のＬＥＤ基板１０１については、コネクタ１が接続された導電部１０１ａが表れておらず、コネクタ１が接続されていない導電部１０１ａが表れた状態が、図示されている。
【００４２】
また、ＬＥＤ基板１０１の縁部分における一部には、凹み状に形成されて後述のネジ１０４が通過するネジ用凹部１０１ｂが設けられている。尚、ＬＥＤ基板１０１においては、ネジ用凹部１０１ｂの側方に、導電部１０１ａが配置されている。
【００４３】
ヒートシンク１０２は、ＬＥＤ基板１０１が設置される放熱用構造体として設けられ、例えば、アルミニウム合金により形成されている。このヒートシンク１０２には、中心軸方向に沿って径寸法が変化する筒状の外形部分を有する本体部１０２ａと、本体部１０２ａの中心軸方向における一方の端部側を覆うように形成された設置部１０２ｂとが設けられている。設置部１０２ｂの表面は、ＬＥＤ基板１０１が設置される平坦な面として設けられている。そして、この設置部１０２ｂには、開口領域として表面側に開口するとともに貫通形成された貫通配置孔１０２ｃが設けられている。この貫通配置孔１０２ｃには、コネクタ１が貫通した状態で配置される。尚、ヒートシンク１０２は、本体部１０２ａ及び設置部１０２ｂが、構造体として機能するとともに、ＬＥＤチップ１０３での発光に伴って生じる熱を外部へ放熱する機構として設けられている。
【００４４】
図４乃至図６は、コネクタ１及びハーネス２の斜視図である。尚、図４乃至図６は、互いに異なる方向から見た状態の斜視図を示している。また、図７は、図４に示すコネクタ１及びハーネス２の断面図である。
【００４５】
図１乃至図７に示すコネクタ１は、ＬＥＤ電球１００に用いられ、ＬＥＤ基板１０１に対して取り付けられることでＬＥＤ基板１０１における給電用の回路パターンを介してＬＥＤチップ１０３に対して電気的に接続される。また、ハーネス２は、コネクタ１と、電力供給用のケーブル（電線）である給電ケーブル３とを備えて構成されている。尚、図３乃至図７では、ケーブル３についての図示を途中から省略している（図１５乃至図１７についても同様）。
【００４６】
図１乃至図７に示すコネクタ１は、ＬＥＤ基板１０１に対して取り付けられるハウジング１１と、ハウジング１１に保持されるとともに給電ケーブル３が接続されるコンタクト１２とを備えて構成されている。また、ハーネス２における給電ケーブル３は、コンタクト１２に対して電気的に接続されている。尚、給電ケーブル３の端部の導体には給電ケーブル側コンタクト１５が接続されており、この給電ケーブル側コンタクト１５に対してコネクタ１のコンタクト１２が電気的に接続されている。また、給電ケーブル３は、コンタクト１２に接続される側の端部と反対側の端部において、本体部１０２ａの内側に配置されて電力を供給する電源基板に対して接続されている。
【００４７】
図３乃至図７によく示すように、ハウジング１１は、ＬＥＤ基板１０１に対してその縁部分側において取り付けられ、本体ハウジング１３とカバーハウジング１４とを備えて構成されている。本体ハウジング１３及びカバーハウジング１４は、絶縁性材料である樹脂材料で形成されている。また、図８及び図９は、本体ハウジング１３を示す斜視図である。尚、図８及び図９は、互いに異なる方向から見た状態の斜視図を示している。
【００４８】
本体ハウジング１３には、ケーブル接続部１６、嵌合部１７、コンタクト保持部１８、等が設けられ、これらの要素は一体に形成されている。ケーブル接続部１６は、給電ケーブル３に対して接続される柱状の部分として設けられている。そして、ケーブル接続部１６の内側には、給電ケーブル３の端部に接続された給電ケーブル側コンタクト１５が挿入される空間が形成されている。尚、給電ケーブル３の端部に接続された給電ケーブル側コンタクト１５は、ケーブル接続部１６における一方の端部に開口形成されたケーブル挿入口１６ａから挿入される。
【００４９】
嵌合部１７は、ＬＥＤ基板１０１の一部をその表裏面側から挟み込むようにしてＬＥＤ基板１０１に対して嵌合する部分として設けられている。そして、この嵌合部１７は、ＬＥＤ基板１０１の縁部分を表面側（ＬＥＤチップ１０３が配置される側）及び裏面側（ＬＥＤチップ１０３が配置される側と反対側）から挟み込むようにしてこの縁部分に対して嵌合するように設けられている。
【００５０】
また、嵌合部１７には、嵌合部１７がＬＥＤ基板１０１に嵌合する際にＬＥＤ基板の表面側に配置される表面側突出部１７ａと裏面側に配置される裏面側突出部１７ｂとが設けられている。表面側突出部１７ａ及び裏面側突出部１７ｂは、ケーブル接続部１６に対してケーブル挿入口１６ａが設けられる端部と反対側の端部から突出するように設けられている。そして、表面側突出部１７ａ及び裏面側突出部１７ｂは、ケーブル接続部１６が柱状に延びる方向に対して垂直な方向に沿って、ケーブル接続部１６の端部から互いに平行に突出するように設けられている。
【００５１】
また、嵌合部１７における表面側突出部１７ａには、矩形の貫通孔として設けられた開口１７ｃが形成されている。この開口１７ｃからは、後述するコンタクト１２の基板側接点部２４が露出することになる。また、表面側突出部１７ａには、表面側突出部１７ａの側方に突出する側方突出部１９が形成されている。この側方突出部１９は、本体ハウジング１３において、表面側突出部１７ａがケーブル接続部１６から突出する突出方向に対して略垂直方向に向かって張り出すように更に突出する部分として設けられている。そして、側方突出部１９には、円形の貫通孔１９ａが貫通形成されている。この貫通孔１９ａは、嵌合部１７がＬＥＤ基板１０１に嵌合した状態でヒートシンク１０２に対して螺合するネジ１０４（図３を参照）が貫通する貫通孔として設けられている。
【００５２】
尚、ネジ１０４は、貫通孔１９ａを貫通するとともに、側方突出部１９とヒートシンク１０２の設置部１０２ｂとの間に配置されたネジ用凹部１０１ｂの内側を通過し、設置部１０２ｂに螺合する。そして、ネジ１０４の設置部１０２ｂに対する螺合によって生じる締結力によって、ネジ１０４の頭部が本体ハウジング１３を貫通孔１９ａの周囲で押圧することになる。このため、ＬＥＤ基板１０１に嵌合する本体ハウジング１３の嵌合部１６を介してＬＥＤ基板１０１を設置部１０２ｂに押し付けるネジ１０４によって、ＬＥＤ基板１０１が設置部１０２ｂに固定されるとともに、ハウジング１１が設置部１０２ｂに固定される。このように、ネジ１０４は、ヒートシンク１０２に対してＬＥＤ基板１０１を固定するための本実施形態の固定部材を構成している。
【００５３】
コンタクト保持部１８は、本体ハウジング１３においてコンタクト１２を保持する部分として設けられている。そして、このコンタクト保持部１８には、嵌合部１７に連続する部分として形成されるとともに段状に形成された部分として設けられた段部１８ａと、スリット状の開口１８ｃが内側に形成された差込部１８ｂとが設けられている。段部１８ａには、屈曲形成された後述のコンタクト１２における屈曲した部分が配置される。一方、差込部１８ｂにおけるスリット状の開口１８ｃには、コンタクト１２の端部が差し込まれる。そして、段部１８ａ及び差込部１８ｂは、柱状のケーブル接続部１６における側方から嵌合部１７が突出する端部側にかけて外部に開放された領域に設けられている。
【００５４】
図１０及び図１１は、カバーハウジング１４を示す斜視図である。尚、図１０及び図１１は、互いに異なる方向から見た状態の斜視図を示している。図３乃至図７、図１０及び図１１に示すカバーハウジング１４は、本体ハウジング１３に保持されたコンタクト１２を覆うように本体ハウジング１３に対して係合して取り付けられるハウジング要素として設けられている。そして、カバーハウジング１４には、カバー部２０、コンタクト押さえ部２１、係合部（２２、２２）、等が設けられ、これらの要素は一体に形成されている。
【００５５】
カバー部２０は、略直角に屈曲して延びる板状の部分を備えて構成されている。また、このカバー部２０は、本体ハウジング１３に取付けられることでコンタクト保持部１８を外部に対して覆う蓋状の部分として設けられている。尚、前述のように、コンタクト保持部１８は、柱状のケーブル接続部１６における側方から嵌合部１７が突出する端部側にかけて外部に開放された領域に設けられている。そして、カバーハウジング１４が本体ハウジング１３に取付けられることで、カバー部２０が上記の開放された領域を覆うことになる。
【００５６】
コンタクト押さえ部２１は、カバー部２０の一端側に連続して設けられ、コンタクト１２における表面側突出部１７ａに配置された部分を押さえるように配置される部分として構成されている。コンタクト押さえ部２１は、カバーハウジング１４が本体ハウジング１３に取付けられた状態で、表面側突出部１７ａと平行に延びるように設けられている。そして、表面側突出部１７ａには、コンタクト１２が配置される溝状の部分が形成されており、この溝状の部分に対してコンタクト１２を押さえた状態でコンタクト押さえ部２１が嵌まり込むように配置される。
【００５７】
尚、表面側突出部１７ａには、上記の溝状の部分の両側に配置されてレール状に延びる突起状の縁部分（１７ｄ、１７ｄ）が設けられている（図８及び図９を参照）。そして、コンタクト押さえ部２１における表面側突出部１７ａと平行に延びる部分の両側には、上記の縁部分（１７ｄ、１７ｄ）に対して嵌まり込むように係止する段部（２１ａ、２１ａ）が設けられている。コンタクト押さえ部２１が、表面側突出部１７ａの溝状の部分に嵌まり込んでコンタクト１２を押さえた状態では、段部（２１ａ、２１ａ）が縁部分（１７ｄ、１７ｄ）に嵌まり込んで係止した状態となる。これにより、本体ハウジング１４に保持されたコンタクト１２が、更に、コンタクト押さえ部２１によっても押さえられた状態で保持されることになる。
【００５８】
係合部（２２、２２）は、カバーハウジング１４が本体ハウジング１３に取り付けられる際に本体ハウジング１３に対して係合する部分として設けられている。係合部（２２、２２）は、一対で設けられ、カバー部２０において柱状のケーブル接続部１６に沿って延びるように配置される部分に対して、両側にそれぞれ設けられている。
【００５９】
一方、本体ハウジング１３には、係合部（２２、２２）に係合する一対の係合凸部（２３、２３）が設けられている。係合凸部（２３、２３）は、柱状のケーブル接続部１６における開放された部分であってコンタクト保持部１８が配置される部分の両側の側面においてそれぞれ凸状に盛り上がった部分として形成されている。そして、各カバー部２２には、各係合凸部２３に対して縁部分にて係合するように貫通形成された係合孔２２ａが形成されている。カバーハウジング１４が本体ハウジング１３に取り付けられる際には、一旦、各カバー部２２が各係合凸部２３を乗り越えるように弾性変形することになる。そして、その後に、各カバー部２２が弾性回復し、各係合孔２２ａに各係合凸部２３が嵌り込み、各係合部２２が各係合凸部２３に係合することになる。
【００６０】
図１２は、コンタクト１２を示す斜視図である。図７及び図１２に示すコンタクト１２は、ハウジング１１に保持されるとともに、ＬＥＤ基板１０１の導電部１０１ａと給電ケーブル３とに対して電気的に接続される端子部材として設けられている。コンタクト１２は、例えば、銅合金で形成されており、表面にはニッケル下地付の金めっき処理が施されている。
【００６１】
コンタクト１２は、板状の部材から切り出された部材が折り曲げられることで形成されている。そして、コンタクト１２には、長方形状に延びる板状の部分が屈曲形成されて構成された本体部分２８と、本体部分２８に対して設けられる基板側接点部２４、支持突起（２５、２５）及び圧入部２６と、本体部分２８から突出して形成された接続部分（２７、２７）と、が設けられている。
【００６２】
基板側接点部２４は、ハウジング１１がＬＥＤ基板１０１に対して嵌合部１７で嵌合して取り付けられた状態で、ＬＥＤ基板１０１の導電部１０１ａに対して押し付けられて電気的に接続される部分として設けられている。そして、基板側接点部２４は、中央部分で略直角に屈曲形成された本体部分２８における一方の端部側に設けられている。
【００６３】
また、基板側接点部２４は、本体部分２８の一方の端部側において、三角形における２つの辺の部分を構成するように屈曲形成された板バネ状の部分として設けられている。これにより、基板側接点部２４は、ＬＥＤ基板１０１の導電部１０１ａに対して押し付けられた際に弾性変形するバネ接点部として設けられている。尚、基板側接点部２４は、その頂点部分が、本体ハウジング１３にコンタクト１２が保持された状態では、表面側突出部１７ａに形成された開口１７ｃを貫通して裏面側突出部１７ｂに向かって突出するように配置される。これにより、基板側接点部２４は、その頂点部分が導電部１０１ａに対して接触し、導電部１０１ａに対してバネ力が付加された状態で押し付けられることになる。
【００６４】
支持突起（２５、２５）は、本体部分２８において、略直角に屈曲形成された部分を介して基板側接点部２４と反対側の部分であってコンタクト保持部１８に挿入される部分の両側で、突起状に突出した部分として設けられている。各支持突起２５は、本体部分２８における基板側接点部２４と反対側の部分がコンタクト保持部１８に挿入される際に、コンタクト保持部１８における溝状の部分に対して摺接し、コンタクト１２をコンタクト保持部１８に対して支持するように構成されている。
【００６５】
圧入部２６は、本体部分２８において、基板側接点部２４と反対側の端部に設けられている。そして、この圧入部２６は、コンタクト保持部１８の差込部１８ｂにおけるスリット状の開口１８ｃに対して差し込まれる部分として設けられている。そして、圧入部２６には、差込部１８ｂに対して差し込まれる方向に対して垂直な方向の両側において、それぞれ張り出すように形成された一対の突起状の部分が設けられている。
【００６６】
図１３及び図１４は、本体ハウジング１３及びコンタクト１２についての切り欠き断面を含む斜視図である。尚、図１３は、コンタクト１２が本体ハウジング１３に対してコンタクト保持部１８において取り付けられる前の状態を示している。一方、図１４は、コンタクト１２が本体ハウジング１３に対してコンタクト保持部１８において取り付けられて保持された状態を示している。また、図１３及び図１４では、本体ハウジング１３のケーブル接続部１６が柱状に延びる方向に沿った断面であって差込部１８ｂに対応する位置での断面が図示されている。
【００６７】
コンタクト１２が本体ハウジング１３に対して取り付けられる際には、図１３にて矢印Ａで示すように、圧入部２６が差込部１８ｂの開口１８ｃに対して差し込まれることになる。圧入部２６が開口１８ｃに差し込まれると、図１４に示すように、圧入部２６に設けられた一対の突起状の部分が、開口１８ｃを区画する壁部に対して食い込むように係合することになる。これにより、コンタクト１２が本体ハウジング１３に対して強固に固定されることになる。また、圧入部２６が開口１８ｃに差し込まれる際には、各支持突起２５が、コンタクト保持部１８における溝状の部分に対して摺接し、コンタクト１２をコンタクト保持部１８に対して支持することになる。
【００６８】
接続部分（２７、２７）は、一対で設けられ、それぞれ本体部分２８から片持ち状に突出するとともに本体部分２８に対して屈曲して形成された部分として設けられている。そして、接続部分（２７、２７）は、本体部分２８におけるコンタクト保持部１８に挿入される部分の両側で突出している。また、各接続部分２７は、本体部分２８に対して略直角に折れ曲がった後、本体部分２８が延びる方向に沿って片持ち状に延びるように設けられている。
【００６９】
また、一対の接続部分（２７、２７）は、片持ち状に延びる先端側にかけて互いに接近しながら延びる部分を有する板バネ状の部分として設けられている。そして、一対の接続部分（２７、２７）の先端側において互いに最も接近した部分のそれぞれは、給電ケーブル３の端部の導体に接続された給電ケーブル側コンタクト１５に対して電気的に接続されるケーブル側接点部２７ａを構成している。一対の接続部分（２７、２７）のケーブル側接点部（２７ａ、２７ａ）は、給電ケーブル側コンタクト１５に対して、この給電ケーブル側コンタクト１５を両側から挟むようにして接触して電気的に接続される。
【００７０】
図１５は、コンタクト１２が電気的に接続される給電ケーブル３の一部を示す斜視図である。給電ケーブル３は、一方の端部の導体に給電ケーブル側コンタクト１５が接続され、図示しない他方の端部がヒートシンク１０２の本体部１０２ａの内側に配置された電源基板に対して接続される。
【００７１】
図７及び図１５に示す給電ケーブル側コンタクト１５は、本体ハウジング１３のケーブル接続部１６に対してケーブル挿入口１６ａから挿入されて嵌め込まれ、コンタクト１２に対して電気的に接続される端子部材として設けられている。この給電ケーブル側コンタクト１５は、例えば、銅合金で形成されており、表面にはメッキ処理が施されている。また、給電ケーブル側コンタクト１５には、圧着部１５ａ、接続部１５ｂ、嵌め込み部１５ｃ、等が設けられ、これらの要素が一体に形成されている。
【００７２】
圧着部１５ａは、給電ケーブル３の端部の導体に対してかしめられて圧着される部分として設けられている。嵌め込み部１５ｂは、給電ケーブル３に接続された給電ケーブル側コンタクト１５がケーブル挿入口１６ａから挿入された際に、本体ハウジング１３の内壁に形成されたスリット状の溝に対して嵌まり込んで係合する部分として設けられている。
【００７３】
接続部１５ｃは、折り曲げ加工によって略円筒状に形成された部分として設けられ、コンタクト１２における一対の接続部分（２７、２７）のケーブル側接点部（２７ａ、２７ａ）の間に挿入される部分として設けられている。接続部１５ｃがケーブル側接点部（２７ａ、２７ａ）の間に挿入されることで、板バネ状の各接続部分２７のバネ力によって各ケーブル側接点部２７ａが接続部１５ｃに押し付けられ、コンタクト１２と給電ケーブル側コンタクト１５とが電気的に接続されることになる。
【００７４】
次に、コネクタ１及びハーネス２のＬＥＤ基板１０１に対する取付作業工程について説明する。この取付作業の際には、ハーネス２の各給電ケーブル３は、一方の端部において給電ケーブル側コンタクト１５が圧着され、他方の端部においてヒートシンク１０２の本体部１０２ａの内側の電源基板が接続されている。そして、給電ケーブル側コンタクト１５が接続された給電ケーブル３の端部は、ヒートシンク１０２の設置部１０２ｂの貫通配置孔１０２ｃを通過して、設置部１０２ｂの表面側（ＬＥＤ基板１０１が設置される側）に配置された状態となっている。また、コネクタ１は、本体ハウジング１３にコンタクト１２が保持され、更に、カバーハウジング１４が本体ハウジング１３に対して係合して取り付けられた状態となっている。
【００７５】
上記の状態にて、図２に示すように、設置部１０２ｂの表面側において、コネクタ１が給電ケーブル３の端部に対して接続される。即ち、給電ケーブル側コンタクト１５がケーブル挿入口１６ａに挿入され、接続部１５ｃがケーブル側接点部（２７ａ、２７ａ）に接続され、給電ケーブル側コンタクト１５とコンタクト１２とが電気的に接続される。尚、給電ケーブル３とコネクタ１とが接続されることで、ハーネス２が構成されることになる。
【００７６】
給電ケーブル３とコネクタ１とが接続されると、次いで、コネクタ１のＬＥＤ基板１０１への取り付けが行われる。図１６は、ＬＥＤ基板１０１及びコネクタ１についての切り欠き断面を含む斜視図であって、ＬＥＤ基板１０１にコネクタ１が取り付けられた状態を示す図である。また、図１７は、図１６の一部を拡大して示す図である。
【００７７】
ＬＥＤ基板１０１にコネクタ１が取り付けられる際には、図１６及び図１７に示すように、コネクタ１がＬＥＤ基板１０１の縁部分に対して取り付けられる。このとき、コネクタ１は、嵌合部１６がＬＥＤ基板１０１の縁部分を挟み込むようにしてこの縁部分に嵌合し、ＬＥＤ基板１０１に取付けられる。そして、この状態では、表面側突出部１７ａの開口１７ｃを貫通して突出した基板側接点部２４が、ＬＥＤ基板１０１の導電部１０１ａに対して押し付けられて電気的に接続されることになる。これにより、コネクタ１が、ＬＥＤ基板１０１に実装されたＬＥＤチップ１０３に対して電気的に接続され、電源基板からＬＥＤチップ１０３への給電が可能な状態となる。
【００７８】
上記の状態において、ＬＥＤ基板１０１に取付けられたコネクタ１が、ヒートシンク１０２の貫通配置孔１０２ｃに配置される。そして、コネクタ１の貫通配置孔１０２ｃへの配置とともに、ＬＥＤ基板１０１が設置部１０２ｂに設置されることになる。ＬＥＤ基板１０１が設置部１０２ｂに設置されると、次いで、各ネジ１０４をヒートシンク１０２の設置部１０２ｂへ螺合させる作業が行われる。この作業では、ネジ１０４は、側方突出部１９の貫通孔１９ａを貫通するとともにＬＥＤ基板１０１のネジ用凹部１０１ｂの内側を通過した状態で、設置部１０２ｂへ螺合するように、操作される。そして、ＬＥＤ基板１０１に嵌合したハウジング１１を介してＬＥＤ基板１０１を設置部１０２ｂに押し付けるネジ１０４によって、ＬＥＤ基板１０１が設置部１０２ｂに固定される。
【００７９】
上記により、ＬＥＤ基板１０１へのコネクタ１の取り付けが完了し、ヒートシンク１０２の内部の電源基板とＬＥＤ基板１０１とがハーネス２を介して電気的に接続されることになる。また、このようにＬＥＤ基板１０１へのコネクタ１の取り付けが完了した状態では、給電ケーブル３は、ＬＥＤ基板１０１に対して垂直な方向に沿って延びている。即ち、コネクタ１においては、コンタクト１２に対して電気的に接続された給電ケーブル３がハウジング１１から引き出されるように延びる方向が、ハウジング１１が取り付けられたＬＥＤ基板１０１に対して垂直な方向に沿って延びる方向として設定されている。
【００８０】
以上説明したように、コネクタ１によると、給電ケーブル３に接続されるコンタクト１２を保持するハウジング１１が、ＬＥＤ基板１０１の一部をその表裏面側から厚み方向に挟むようにしてＬＥＤ基板１０１に対して嵌合して取り付けられる。このため、ＬＥＤ基板１０１に対して厚み方向に挟むように嵌合したハウジング１１から給電ケーブル３が引き出されて延びることになるため、ＬＥＤ基板１０１の表面側に給電ケーブル３が配置されてしまうことが防止されることになる。よって、従来技術の構成のように給電ケーブルの配置スペースが増大してＬＥＤチップからの光の一部を遮ってしまうことが、抑制されることになる。即ち、コネクタ１によると、給電ケーブル３の配置スペースの省スペース化を図ることができる。
【００８１】
また、コネクタ１では、上記のように、給電ケーブル３に接続されるコンタクト１２を保持するハウジング１１が、ＬＥＤ基板１０１の一部をその表裏面側から厚み方向に挟むようにしてＬＥＤ基板１０１に対して嵌合して取り付けられる。このため、ハウジング１１がＬＥＤ基板１０１の表面側において突出する高さが高くなってしてしまうことが防止される。よって、コネクタ１によると、ＬＥＤチップ１０３からの光の一部を遮ってしまうことを抑制できるようにＬＥＤ基板１０１の表面側における低背化を図ることができる。
【００８２】
また、コネクタ１では、給電ケーブル３に接続されたコンタクト１２を保持するハウジング１１がＬＥＤ基板１０１に対して嵌合して取り付けられることで、コネクタ接続作業が完了することになる。よって、従来技術とは異なり、煩雑で手間を要する接続作業が不要となり、ＬＥＤ基板１０１に対して容易にコネクタ１を接続することができる。
【００８３】
また、コネクタ１では、コンタクト１２の基板側接点部２４は、ハウジング１１がＬＥＤ基板１０１に対して嵌合部１７で嵌合して取り付けられた状態で、ＬＥＤ基板１０１の導電部１０１ａに対して押し付けられて電気的に接続される。このため、基板側接点部２４は、嵌合部１７がＬＥＤ基板１０１に対して表裏面側から厚み方向に挟み込むように嵌合してコンパクトに接続された領域において、ＬＥＤ基板１０１の導電部１０１ａに対して、嵌合部１７によって挟み込まれるようにして強固に押し付けられた状態に維持されることになる。よって、コネクタ１によると、コンパクトな構造でＬＥＤ基板１０１に対する強固な接続を確保することができる。
【００８４】
従って、本実施形態によると、給電ケーブル３の配置スペースの省スペース化を図れるとともに、ＬＥＤ基板１０１の表面側における低背化を図ることができ、ＬＥＤ基板１０１に対して容易に接続可能で、更に、コンパクトな構造でＬＥＤ基板１０１に対する強固な接続を確保することができる、ＬＥＤ照明用コネクタ１を提供することができる。
【００８５】
また、コネクタ１によると、ハウジング１１は、嵌合部１７がＬＥＤ基板１０１の縁部分に対して挟み込むようにして嵌合し、ＬＥＤ基板１０１の縁部分側に取付けられる。このため、ＬＥＤ基板１０１において、給電ケーブル３が挿通される孔が貫通形成されることがない。よって、ＬＥＤ基板１０１において、絶縁性材料が配置されない空間領域としての孔が不要となるため、ヒートシンク１０２に対する絶縁性を容易に確保可能でＬＥＤ基板１０１の小型化を図ることができる。
【００８６】
また、コネクタ１によると、コンタクト１２の基板側接点部２４が、ＬＥＤ基板１０１の導電部１０１ａに押し付けられた際に弾性変形するバネ接点部として設けられるため、基板側接点部２４自身のバネ力によっても強固に導電部１０１ａに押し付けられることになる。よって、構造の大型化を招くことなく、ＬＥＤ基板１０１に対するより強固な接続を確保することができる。
【００８７】
また、コネクタ１によると、給電ケーブル３が、ＬＥＤ基板１０１に取り付けられたハウジング１１からＬＥＤ基板１０１に対して垂直な方向に沿って引き出される。このため、給電ケーブル３が、ＬＥＤ基板１０１の側方に延びてしまうことが防止されることになる。よって、給電ケーブル３の配置スペースの更なる省スペース化が図られ、ＬＥＤ電球１００の小型化を図ることができる。
【００８８】
また、コネクタ１によると、本体ハウジング１３に係合して取り付けられることで本体ハウジング１３に保持されたコンタクト１２を覆うカバーハウジング１４が設けられるため、コンタクト１２の露出が効率よく確実に防止されることになる。そして、コンタクト１２の露出を防ぐ構造が、本体ハウジング１３に係合して取り付けられるカバーハウジング１４によって容易に構築されることになる。
【００８９】
また、コネクタ１によると、ネジ１０４が貫通孔１９ａを貫通し、嵌合部１７でＬＥＤ基板１０１に嵌合して取り付けられたハウジング１１がヒートシンク１０２に対して固定されることになる。よって、ＬＥＤ基板１０１に固定されたハウジング１１がネジ１０４によってヒートシンク１０２にも強固に固定されるとともに、ＬＥＤ基板１０１がハウジング１１及びネジ１０４を介してヒートシンク１０２に固定されることになる。従って、ＬＥＤ基板１０１をヒートシンク１０２に固定するためのネジ１０４を、ハウジング１１をヒートシンク１０２に強固に固定する部材として効率よく兼用することができる。
【００９０】
尚、ハーネス２においても、上記のコネクタ１と同様の効果が得られることになる。
【００９１】
以上、本発明の実施形態について説明したが、本発明は上述の実施の形態に限られるものではなく、特許請求の範囲に記載した限りにおいて様々な変更が可能なものである。例えば、次のように変更して実施してもよい。
【００９２】
（１）前述の実施形態では、ハウジングの嵌合部がＬＥＤ基板の縁部分を挟み込むようにしてこの縁部分に対して嵌合する形態を例にとって説明したが、必ずしもこの通りでなくてもよい。例えば、ＬＥＤ基板の外縁部分に貫通孔が形成され、この貫通孔の内側からハウジングの嵌合部がＬＥＤ基板に嵌合する形態のＬＥＤ照明用コネクタを実施してもよい。
【００９３】
（２）前述の実施形態では、本体ハウジングとカバーハウジングとを備えたハウジングの形態を例にとって説明したが、この通りでなくてもよい。ハウジングが、１つのハウジング要素によって、或いは、組み立てられる３つ以上のハウジング要素によって構成された形態のＬＥＤ照明用コネクタを実施してもよい。
【００９４】
（３）前述の実施形態では、ハウジングに対してコンタクトが取り付けられて保持される形態を例にとって説明したが、この通りでなくてもよい。コンタクトが本体ハウジング又はカバーハウジングに対して同時成型により一体に組み込まれた形態であってもよい。また、１つのハウジング要素によって構成されたハウジングに対してコンタクトが同時成型により一体に組み込まれた形態であってもよい。
【００９５】
（４）前述の実施形態では、コンタクトが、給電ケーブルの端部の導体に対して接続された給電ケーブル側コンタクトに対して電気的に接続される形態を例にとって説明したが、この通りでなくてもよい。コンタクトが、給電ケーブルの端部の導体に対して直接に接続される形態のＬＥＤ照明用コネクタを実施してもよい。
【００９６】
（５）前述の実施形態では、ＬＥＤ照明用コネクタに給電ケーブルが接続された後に、ＬＥＤ照明用コネクタがＬＥＤ基板に対して取り付けられる接続作業形態を例にとって説明したが、この通りでなくてもよい。ＬＥＤ照明用コネクタがＬＥＤ基板に対して取り付けられた後に、ＬＥＤ照明用コネクタに給電ケーブルが接続される接続作業形態が実施されてもよい。
【００９７】
（６）前述の実施形態では、コンタクトにおける一対の接続部分のケーブル側接点部の間で給電ケーブル側コンタクトの接続部が挟み込まれることで、コンタクトと給電ケーブル側コンタクトとが接続される形態を例にとって説明したが、この通りでなくてもよい。例えば、コンタクトにおけるケーブル側接点部が１つのピン状の接点部として構成され、給電ケーブル側コンタクトにおける接続部が一対で設けられて上記のピン状のケーブル側接点部を両側から挟み込むように構成され、これにより、コンタクトと給電ケーブル側コンタクトとが接続される形態であってもよい。
【００９８】
（７）前述の実施形態では、ＬＥＤ基板をＬＥＤ照明用コネクタのハウジングを介してヒートシンクに固定する固定部材として、ネジの形態を例にとって説明したが、この通りでなくてもよい。例えば、固定部材が、リベット、或いは、小型のボルト及びナット、等として構成されていてもよい。
【００９９】
（８）バネ接点部として設けられる基板側接点部の形状は、前述の実施形態で例示した形状に限らず、種々変更して実施してもよい。また、嵌合部において、突起状に形成されてＬＥＤ基板に対して係止することでハウジングをＬＥＤ基板に対して係止するロック部分が設けられていてもよい。
【０１００】
図１８は、変形例に係るＬＥＤ照明用コネクタ５０（以下、単に「コネクタ５０」ともいう）を示す斜視図である。尚、図１８（ａ）及び図１８（ｂ）は、コネクタ５０について、互いに異なる方向から見た状態の斜視図を示している。図１８に示すコネクタ５０は、前述の実施形態に係るコネクタ１と同様に構成されているが、バネ接点部として設けられる基板側接点部の形状と、嵌合部に上記のロック部分が設けられている点とにおいて、コネクタ１と異なっている。尚、以下の説明では、コネクタ５０において、コネクタ１に対応する構成要素については、図面において同一の符号を付すことで、或いは、同一の符号を引用することで、説明を省略する。
【０１０１】
コネクタ５０の嵌合部１７には、裏面側突出部１７ｂにおいて表面側突出部１７ａに向かって突起状に突出して形成されたロック部分５１が設けられている。図１９は、給電ケーブル３に接続されたコネクタ５０がＬＥＤ基板１０１に取付けられた状態についての切り欠き断面を含む斜視図である。また、図２０は、図１９の一部を拡大して示す図である。図１９及び図２０によく示すように、ロック部分５１は、嵌合部１７がＬＥＤ基板１０１に嵌合した際に、ＬＥＤ基板１０１に対して突起状の先端部分で係止することでハウジング１１をＬＥＤ基板１０１に対して係止するように構成されている。
【０１０２】
また、コネクタ５０のコンタクト１２には、ハウジング１１がＬＥＤ基板１０１に対して嵌合部１７で嵌合して取り付けられた状態で、ＬＥＤ基板１０１の導電部１０１ａに対して押し付けられて電気的に接続される基板側接点部５２が設けられている。この基板側接点部５２は、前述の実施形態の基板側接点部２４と同様に、導電部１０１ａに対して押し付けられた際に弾性変形するバネ接点部として設けられている。但し、コネクタ５０における基板側接点部５２は、コネクタ１の基板側接点部２４とは異なり、コンタクト１２における板状の端部の部分が約１８０°近くに亘って折り曲げられて形成された板バネ状の先端部分として設けられている。
【０１０３】
上述したコネクタ５０によると、ＬＥＤ基板１０１に嵌合する嵌合部１７において、ＬＥＤ基板１０１に対してハウジング１１を係止させる突起状のロック部分５１が設けられるため、ＬＥＤ基板１０１に嵌合して取り付けられたハウジング１１の更に強固な抜け止めを図ることができる。また、コネクタ５０によると、コンタクト１２の基板側接点部５２が、ＬＥＤ基板１０１の導電部１０１ａに押し付けられた際に弾性変形するバネ接点部として設けられるため、基板側接点部５２自身のバネ力によっても強固に導電部１０１ａに押し付けられることになる。よって、構造の大型化を招くことなく、ＬＥＤ基板１０１に対するより強固な接続を確保することができる。
【産業上の利用可能性】
【０１０４】
本発明は、ＬＥＤ照明におけるＬＥＤ基板と給電ケーブルとを接続する、ＬＥＤ照明用コネクタ、及びＬＥＤ照明用コネクタを備えるハーネスとして、広く適用することができるものである。
【符号の説明】
【０１０５】
１                        ＬＥＤ照明用コネクタ
１１                      ハウジング
１２                      コンタクト
１３                      本体ハウジング
１４                      カバーハウジング
１５                      給電ケーブル側コンタクト
１７                      嵌合部
２４                      基板側接点部
１００                    ＬＥＤ電球（ＬＥＤ照明）
１０１                    ＬＥＤ基板
１０３                    ＬＥＤチップ
【図１】
2012230771.tif 000003
【図２】
2012230771.tif 000004
【図３】
2012230771.tif 000005
【図４】
2012230771.tif 000006
【図５】
2012230771.tif 000007
【図６】
2012230771.tif 000008
【図７】
2012230771.tif 000009
【図８】
2012230771.tif 000010
【図９】
2012230771.tif 000011
【図１０】
2012230771.tif 000012
【図１１】
2012230771.tif 000013
【図１２】
2012230771.tif 000014
【図１３】
2012230771.tif 000015
【図１４】
2012230771.tif 000016
【図１５】
2012230771.tif 000017
【図１６】
2012230771.tif 000018
【図１７】
2012230771.tif 000019
【図１８】
2012230771.tif 000020
【図１９】
2012230771.tif 000021
【図２０】
2012230771.tif 000022